(57)【要約】【課題】ドアシートの前面覆部の意匠を容易に変更することができるエレベータードア装置を得る。【解決手段】かご出入口１１が開く開位置とかご出入口１１が閉じられる閉位置との間で変位する第１引戸２１Ａと、第１引戸２１Ａの前面２１２を覆う前面覆部４２を有し、前面覆部４２が前面２１２に対して第１引戸２１Ａの移動方向に平行な方向に移動可能なドアシート４とを備え、ドアシート４は、第１引戸２１Ａの位置が開位置である場合に、前面覆部４２が第１引戸２１Ａの前面２１２に対して移動する。【選択図】図２
2018002439.tif 000002
【特許請求の範囲】
【請求項１】
エレベーター出入口が開く開位置と前記エレベーター出入口が閉じられる閉位置との間で変位する引戸と、
前記引戸の前面を覆う前面覆部を有し、前記前面覆部が前記前面に対して前記引戸の移動方向に平行な方向に移動可能なドアシートと
を備え、
前記ドアシートは、前記引戸の位置が前記開位置である場合に、前記前面覆部が前記前面に対して移動するエレベータードア装置。
【請求項２】
前記ドアシートは、前記引戸における戸閉方向を向く戸閉方向側面を覆う戸閉方向側面覆部をさらに有し、
前記ドアシートは、前記引戸が前記開位置から前記閉位置に変位する場合に、奥行方向であって前記引戸から前記エレベーター出入口に近づく方向に、前記戸閉方向側面覆部が前記引戸に対して移動する請求項１に記載のエレベータードア装置。
【発明の詳細な説明】
【技術分野】
【０００１】
この発明は、エレベーター出入口が開閉されるエレベータードア装置に関する。
【背景技術】
【０００２】
従来、エレベーター出入口が開く開位置とエレベーター出入口が閉じられる閉位置との間で変位する引戸と、引戸の前面を覆う前面覆部を有し、前面覆部が引戸の前面に対して引戸の移動方向に平行な方向に移動可能なドアシートとを備え、ドアシートは、引戸が戸開方向に移動する場合に、前面覆部が引戸の前面に対して戸閉方向に移動するようにドアシートが移動するエレベータードア装置が知られている（例えば、特許文献１参照）。
【先行技術文献】
【特許文献】
【０００３】
【特許文献１】特開２０１２−２３６６９５号公報
【発明の概要】
【発明が解決しようとする課題】
【０００４】
しかしながら、ドアシートの前面覆部の意匠を変更する場合には、ドアシートを交換しなければならず、ドアシートの前面覆部の意匠の変更に時間がかかるという問題点があった。
【０００５】
この発明は、ドアシートの前面覆部の意匠を容易に変更することができるエレベータードア装置を提供するものである。
【課題を解決するための手段】
【０００６】
この発明に係るエレベータードア装置は、エレベーター出入口が開く開位置とエレベーター出入口が閉じられる閉位置との間で変位する引戸と、引戸の前面を覆う前面覆部を有し、前面覆部が前面に対して引戸の移動方向に平行な方向に移動可能なドアシートとを備え、ドアシートは、引戸の位置が開位置である場合に、前面覆部が前面に対して移動する。
【発明の効果】
【０００７】
この発明に係るエレベータードア装置によれば、エレベーター出入口が開く開位置とエレベーター出入口が閉じられる閉位置との間で変位する引戸と、引戸の前面を覆う前面覆部を有し、前面覆部が前面に対して引戸の移動方向に平行な方向に移動可能なドアシートとを備え、ドアシートは、引戸の位置が開位置である場合に、前面覆部が前面に対して移動するので、ドアシートの前面覆部の意匠を容易に変更することができる。
【図面の簡単な説明】
【０００８】
【図１】この発明の実施の形態１に係るエレベータードア装置を示す正面図である。
【図２】図１のエレベータードア装置の要部を示す平面図である。
【図３】図１のドアシートを広げた状態を示す正面図である。
【図４】図２のローラ駆動装置を示すブロック図である。
【発明を実施するための形態】
【０００９】
実施の形態１．
図１はこの発明の実施の形態１に係るエレベータードア装置を示す正面図である。この例では、エレベーターかごに設けられたエレベータードア装置について説明する。図１では、エレベーターかごの内側から視たエレベータードア装置を示している。なお、乗場に設けられたエレベータードア装置であってもよい。エレベーターかごには、かご出入口１１が形成されたかご三方枠１が設けられている。また、エレベーターかごには、かご出入口１１を開閉する引戸装置２が設けられている。
【００１０】
かご三方枠１は、かご出入口１１の高さ方向に延び幅方向に離れて設けられた一対の縦枠１２と、一対の縦枠１２のそれぞれの上部に渡って設けられた上枠１３とを有している。縦枠１２は、かご出入口１１の側面を構成している。上枠１３は、かご出入口１１の上面を構成している。
【００１１】
引戸装置２は、かご出入口１１を幅方向に移動する一対の引戸２１を有している。一対の引戸２１は、互いに反対方向に移動する。この例では、一対の引戸２１の中で、エレベーターかごの内側からエレベータードア装置を視た場合に左側に配置される引戸２１を第１引戸２１Ａとし、エレベーターかごの内側からエレベータードア装置を視た場合に右側に配置される引戸２１を第２引戸２１Ｂとする。第１引戸２１Ａおよび第２引戸２１Ｂは、互いに共同して、かご出入口１１を開閉する。つまり、この例では、エレベータードア装置は、いわゆるセンターオープン型のエレベータードア装置となっている。なお、エレベータードア装置は、センターオープン型に限らず、例えば、片側オープン型のエレベータードア装置であってもよい。
【００１２】
第１引戸２１Ａおよび第２引戸２１Ｂは、かご出入口１１が開く開位置と、かご出入口１１が閉じられる閉位置との間で変位する。この例では、第１引戸２１Ａの戸開方向とは、第１引戸２１Ａが閉位置から開位置に変位する方向である。また、第１引戸２１Ａの戸閉方向とは、戸開方向とは反対方向であり、第１引戸２１Ａが開位置から閉位置に変位する方向である。
【００１３】
図２は図１のエレベータードア装置の要部を示す平面図である。第１引戸２１Ａには、４個のローラ３が設けられている。４個のローラ３のそれぞれは、上方から視た場合の第１引戸２１Ａにおける角部に回転可能に配置されている。各ローラ３は、それぞれの軸方向がかご出入口１１の高さ方向と一致するように配置されている。
【００１４】
この例では、４個のローラ３の中で、戸開方向側であって乗場側に配置されるローラ３を第１ローラ３Ａとし、戸開方向側であってかご出入口１１側に配置されるローラ３を第２ローラ３Ｂとし、戸閉方向側であってかご出入口１１側に配置されるローラ３を第３ローラ３Ｃとし、戸閉方向側であって乗場側に配置されるローラ３を第４ローラ３Ｄとする。
【００１５】
４個のローラ３には、１枚のドアシート４が巻き掛けられている。ドアシート４は、第１ローラ３Ａ、第２ローラ３Ｂ、第３ローラ３Ｃ、第４ローラ３Ｄの順に巻かれている。また、ドアシート４の長手方向一端部は、第１ローラ３Ａに巻かれており、ドアシート４の長手方向他端部は、第４ローラ３Ｄに巻かれている。
【００１６】
ドアシート４は、第１引戸２１Ａにおける戸開方向を向く戸開方向側面２１１を覆う戸開方向側面覆部４１と、第１引戸２１Ａにおける前面２１２を覆う前面覆部４２と、第１引戸２１Ａにおける戸閉方向を向く戸閉方向側面２１３を覆う戸閉方向側面覆部４３とを有している。第１引戸２１Ａにおける前面２１２とは、第１引戸２１Ａの位置が閉位置である場合に第１引戸２１Ａにおけるかご出入口１１を向く面である。
【００１７】
ドアシート４の長手方向一端部が第１ローラ３Ａに巻き取られる方向に第１ローラ３Ａが回転することによって、第２ローラ３Ｂおよび第３ローラ３Ｃが回転し、さらに、ドアシート４の長手方向他端部が第４ローラ３Ｄから送り出される方向に第４ローラ３Ｄが回転する。これにより、ドアシート４における第１ローラ３Ａに巻き取られる量が増加する。
【００１８】
一方、ドアシート４の長手方向他端部が第４ローラ３Ｄに巻き取られる方向に第４ローラ３Ｄが回転することによって、第３ローラ３Ｃおよび第２ローラ３Ｂが回転し、さらに、ドアシート４の長手方向一端部が第１ローラ３Ａから送り出される方向に第１ローラ３Ａが回転する。これにより、ドアシート４における第４ローラ３Ｄに巻き取られる量が増加する。
【００１９】
図３は図１のドアシート４を広げた状態を示す正面図である。ドアシート４には、３つの宣伝広告が記載されている。言い換えれば、ドアシート４は、第１広告部４４と、第２広告部４５と、第３広告部４６とを有している。第１広告部４４、第２広告部４５および第３広告部４６は、ドアシート４の長手方向に等間隔に並べて配置されている。第１ローラ３Ａまたは第４ローラ３Ｄがドアシート４を巻き取ることによって、第１広告部４４、第２広告部４５および第３広告部４６の何れかが、第１引戸２１Ａの前面２１２を覆うようになっている。なお、ドアシート４に記載される宣伝広告は、３つに限らず、２個または４個以上であってもよい。
【００２０】
図２に示すように、第１引戸２１Ａには、第１ローラ３Ａおよび第４ローラ３Ｄを回転させるローラ駆動装置５が設けられている。図４は図２のローラ駆動装置５を示すブロック図である。ローラ駆動装置５は、第１ローラ３Ａおよび第４ローラ３Ｄを回転させる回転力を発生させるモータ５１と、モータ５１の駆動を制御する制御部５２とを有している。
【００２１】
制御部５２は、第１引戸２１Ａの移動を制御する図示しない引戸移動制御部と電気的に接続されている。制御部５２には、第１引戸２１Ａを戸開方向に移動させることを示す戸開信号と、第１引戸２１Ａを戸閉方向に移動させることを示す戸閉信号と、第１引戸２１Ａの位置が開位置であることを示す開位置信号とが引戸移動制御部から入力される。制御部５２は、入力された戸開信号、戸閉信号および開位置信号に基づいて、モータ５１に電流を供給する。第１ローラ３Ａおよび第４ローラ３Ｄの回転速度は、制御部５２からモータ５１に供給される電流値によって変化する。第１ローラ３Ａおよび第４ローラ３Ｄの回転方向は、制御部５２からモータ５１に供給される電流の方向によって変化する。
【００２２】
図示していないが、第２引戸２１Ｂにも、第１引戸２１Ａと同様にして、ローラ３、ドアシート４およびローラ駆動装置５が設けられている。
【００２３】
エレベータードア装置は、かご三方枠１、引戸装置２、ローラ３、ドアシート４およびローラ駆動装置５から構成されている。
【００２４】
次に、エレベータードア装置の動作について説明する。この例では、第１引戸２１Ａに設けられたドアシート４の移動について説明するが、第２引戸２１Ｂに設けられたドアシート４の移動についても同様である。まず、第１引戸２１Ａが戸開方向に移動する時にドアシート４の前面覆部４２が第１引戸２１Ａに対して戸閉方向に移動する戸開方向移動時ドアシート移動工程について説明する。
【００２５】
第１引戸２１Ａが閉位置から開位置に変位すると、制御部５２は、モータ５１に電流を供給する。これにより、モータ５１には回転力が発生し、この回転力によって第４ローラ３Ｄが回転する。第４ローラ３Ｄが回転することによって、ドアシート４の長手方向他端部が第４ローラ３Ｄに巻き取られる。これにより、ドアシート４の前面覆部４２は、第１引戸２１Ａの前面２１２を戸閉方向に移動する。第１引戸２１Ａの前面２１２に対するドアシート４の前面覆部４２の移動速度は、かご出入口１１に対する第１引戸２１Ａの移動速度と一致している。したがって、ドアシート４における縦枠１２に対向する部分は、縦枠１２に対して移動しない。その結果、第１引戸２１Ａが閉位置から開位置に変位する時にドアシート４と縦枠１２との間に、例えば乗客の手などの異物が引き込まれることが防止される。
【００２６】
なお、第１引戸２１Ａの前面２１２に対するドアシート４の前面覆部４２の移動速度は、かご出入口１１に対する第１引戸２１Ａの移動速度よりも大きくてもよい。第１引戸２１Ａの閉位置から開位置への変位が終了すると、制御部５２は、モータ５１への電流の供給を停止する。これにより、第１引戸２１Ａに対するドアシート４のスライドが停止する。
【００２７】
次に、第１引戸２１Ａの位置が開位置である時にドアシート４の前面覆部４２が第１引戸２１Ａに対して移動する戸開時ドアシート移動工程について説明する。戸開方向移動時ドアシート移動工程の後、第１引戸２１Ａの位置が開位置である状態が予め設定された時間である第１時間だけ続いた後、制御部５２は、モータ５１に電流を供給する。これにより、モータには回転力が発生し、この回転力によって第１ローラ３Ａまたは第４ローラ３Ｄが回転する。第１ローラ３Ａおよび第４ローラ３Ｄの何れを回転させるかについては、第１引戸２１Ａに対する現在のドアシート４の位置と、第１引戸２１Ａの位置が閉位置にある場合に第１引戸２１Ａの前面２１２を覆うドアシート４の部分の位置とによって選択される。
【００２８】
第１ローラ３Ａまたは第４ローラ３Ｄが回転することによって、ドアシート４の長手方向一端部が第１ローラ３Ａに巻き取られ、または、ドアシート４の長手方向他端部が第４ローラ３Ｄに巻き取られる。これにより、ドアシート４の前面覆部４２は、第１引戸２１Ａの前面２１２に対して戸開方向または戸閉方向に移動する。第１引戸２１Ａの前面２１２に対するドアシート４の前面覆部４２の移動速度は、予め設定された値となっている。ドアシート４が第１引戸２１Ａに対して予め設定された位置に到達すると、制御部５２は、モータ５１への電流の供給を停止する。これにより、第１引戸２１Ａに対するドアシート４のスライドが停止する。
【００２９】
次に、第１引戸２１Ａが戸閉方向に移動する時にドアシート４の戸閉方向側面覆部４３が第１引戸２１Ａに対して奥行方向であって第１引戸２１Ａからかご出入口１１に近づく方向に移動する戸閉方向移動時ドアシート移動工程について説明する。戸開時ドアシート移動工程の後、第１引戸２１Ａの位置が開位置である状態が予め設定された時間である第２時間だけ続いた後、制御部５２は、モータ５１に電流を供給する。これにより、モータ５１には回転力が発生し、この回転力によって、第１ローラ３Ａが回転する。第１ローラ３Ａが回転することによって、ドアシート４の長手方向一端部が第１ローラ３Ａに巻き取られる。これにより、ドアシート４の戸閉方向側面覆部４３は、第１引戸２１Ａに対して、奥行方向であって第１引戸２１Ａからかご出入口１１に近づく方向に移動する。したがって、第１引戸２１Ａが開位置から閉位置に変位する時にドアシート４の戸閉方向側面覆部４３に異物が接触している場合に、異物がかご出入口１１に向かって押し出される。その結果、第１引戸２１Ａが開位置から閉位置に変位する時に、第１引戸２１Ａと第２引戸２１Ｂとの間に異物が挟まれることが防止される。
【００３０】
第１引戸２１Ａの戸閉方向側面２１３に対するドアシート４の戸閉方向側面覆部４３の移動速度は、かご出入口１１に対する第１引戸２１Ａの移動速度と一致している。なお、第１引戸２１Ａの戸閉方向側面２１３に対するドアシート４の戸閉方向側面覆部４３の移動速度は、かご出入口１１に対する第１引戸２１Ａの移動速度とよりも小さくてもよい。第１引戸２１Ａの開位置から閉位置への変位が終了すると、制御部５２は、モータ５１への電流の供給を停止する。これにより、第１引戸２１Ａに対するドアシート４のスライドが停止する。
【００３１】
以上説明したように、この発明の実施の形態１に係るエレベータードア装置によれば、かご出入口１１が開く開位置とかご出入口１１が閉じられる閉位置との間で変位する第１引戸２１Ａと、第１引戸２１Ａの前面２１２を覆う前面覆部４２を有し、前面覆部４２が第１引戸２１Ａの前面２１２に対して第１引戸２１Ａの移動方向に平行な方向に移動可能なドアシート４とを備え、ドアシート４は、第１引戸２１Ａの位置が開位置である場合に、前面覆部４２が第１引戸２１Ａの前面２１２に対して移動するので、ドアシート４の前面覆部４２の意匠を容易に変更することができる。また、第１引戸２１Ａの位置が開位置である場合に、前面覆部４２が第１引戸２１Ａの前面２１２に対して移動するので、ドアシート４の前面覆部４２の意匠を変更する際に、利用者に見られることを防止することができる。
【００３２】
また、ドアシート４は、第１引戸２１Ａにおける戸閉方向を向く戸閉方向側面２１３を覆う戸閉方向側面覆部４３をさらに有し、ドアシート４は、第１引戸２１Ａが開位置から閉位置に変位する場合に、奥行方向であって第１引戸２１Ａからかご出入口１１に近づく方向に、戸閉方向側面覆部４３が第１引戸２１Ａに対して移動するので、第１引戸２１Ａが開位置から閉位置に変位する場合に、第１引戸２１Ａの戸閉方向側面２１３と第２引戸２１Ｂの戸閉方向側面２１３との間に異物が挟まれることを防止することができる。
【００３３】
なお、上記実施の形態１では、ドアシート４の長手方向両端部がローラ３に巻き取られる構成について説明したが、ドアシート４が無端形状に構成され、ローラ３の回転によってドアシート４が循環移動する構成であってもよい。
【００３４】
また、上記実施の形態１では、前面覆部４２および戸閉方向側面覆部４３が一体に形成された構成について説明したが、前面覆部４２と戸閉方向側面覆部４３とが互いに切り離された構成であってもよい。この場合、前面覆部４２および戸閉方向側面覆部４３は、別々に駆動される。
【００３５】
また、上記実施の形態１では、引戸２１の位置が開位置となるたびに戸開時ドアシート移動工程が行われる構成について説明したが、戸開時ドアシート移動工程が行われるタイミングは、これに限らず、例えば、予め設定された時期であって引戸２１の位置が開位置となった時に行う構成であってもよい。
【００３６】
また、上記実施の形態１では、複数の宣伝広告が記載されたドアシート４の構成について説明したが、宣伝広告に限らず、複数種類の互いに異なる意匠を有するドアシート４の構成であればよい。
【符号の説明】
【００３７】
１  かご三方枠、２  引戸装置、３  ローラ、３Ａ  第１ローラ、３Ｂ  第２ローラ、３Ｃ  第３ローラ、３Ｄ  第４ローラ、４  ドアシート、５  ローラ駆動装置、１１  かご出入口、１２  縦枠、１３  上枠、２１  引戸、２１Ａ  第１引戸、２１Ｂ  第２引戸、４１  戸開方向側面覆部、４２  前面覆部、４３  戸閉方向側面覆部、４４  第１広告部、４５  第２広告部、４６  第３広告部、５１  モータ、５２  制御部、２１１  戸開方向側面、２１２  前面、２１３  戸閉方向側面。
【図１】
2018002439.tif 000003
【図２】
2018002439.tif 000004
【図３】
2018002439.tif 000005
【図４】
2018002439.tif 000006